Podtech/llm-jp-corpus-v4-ja_patent huggingface dataset:
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
三次元空間に配置された複数のオブジェクトのうち、前記三次元空間に設定された視点から視認可能な大きさを有するオブジェクトを検索するオブジェクト検索装置であって、
前記三次元空間において、少なくとも、第１検索範囲と、前記第１検索範囲よりも前記視点から遠い第２検索範囲と、を設定する範囲設定部と、
前記検索範囲ごとに検索を行うことにより、各前記検索範囲に存在する、視認可能な大きさを有するオブジェクトを特定する検索部と、
を備え、
前記検索部は、前記第１検索範囲において視認可能な大きさを有する最小のオブジェクトよりも大きいまたは等しいオブジェクトのみを検索対象として、前記検索を行う
オブジェクト検索装置。
【請求項２】
前記範囲設定部は、前記複数のオブジェクトのうちの選択された１つのオブジェクトが視認できなくなる距離に基づき、前記第１検索範囲と、前記第２検索範囲とを設定し、
前記検索部は、前記選択された１つのオブジェクトよりも大きいまたは等しいオブジェクトのみを、前記第２検索範囲における検索対象とする
請求項１に記載のオブジェクト検索装置。
【請求項３】
前記検索部は、
前記複数のオブジェクトのうち大きさが上位のＮ（Ｎは整数）個のオブジェクトに関する情報を含み、前記第１検索範囲に割り当てられた第１空間索引情報、を検索することにより、前記第１検索範囲における視認可能な大きさを有するオブジェクトを特定し、
前記複数のオブジェクトのうち大きさが上位のＭ（Ｍは１以上かつＮよりも小さい整数）個のオブジェクトに関する情報を含み、前記第２検索範囲に割り当てられた第２空間索引情報を検索することにより、前記第２検索範囲における視認可能な大きさを有するオブジェクトを特定する
請求項１または２のいずれか一項に記載のオブジェクト検索装置。
【請求項４】
前記空間索引情報は、木構造を有しており、
前記空間索引情報に含まれる各オブジェクトは、前記木構造の末端ノードそれぞれに割り当てられており、
前記末端ノードよりも上位の上位ノードは、自身より下位のノードに割り当てられた各オブジェクトを包含する１つの直方体の情報を有しており、
前記検索部は、第１木構造の第１末端ノードに割り当てられた第１オブジェクト、および前記第１末端ノードの全ての上位ノードに係る各直方体が、前記第１木構造と対応する検索範囲と干渉すると判定された場合に、前記第１オブジェクトが、前記対応する検索範囲に存在すると判断する
請求項３に記載のオブジェクト検索装置。
【請求項５】
オブジェクトの登録または削除に関する要求を受け付ける受付部と、
複数の前記空間索引情報と、複数の索引情報と、を記憶する記憶部と、
をさらに備え、
各前記索引情報は、前記複数の空間索引情報それぞれに対応しており、対応する前記空間索引情報に含まれる各オブジェクトのサイズに関する情報を含み、
前記検索部は、
前記複数の索引情報から、前記複数の空間索引情報に含まれる最小のオブジェクトを特定し、
特定されたオブジェクトと、前記要求に係るオブジェクトと、のサイズを比較することにより、前記複数の空間索引情報および前記複数の索引情報のうち、更新の必要のある空間索引情報および索引情報を特定し、
特定された空間索引情報および索引情報を、前記要求に含まれるオブジェクトの情報に基づき更新する
請求項３または４に記載のオブジェクト検索装置。
【請求項６】
前記三次元空間における前記視点の位置ベクトルと、視線方向のベクトルと、視角の大きさと、に関する情報を含む視点情報を受け付ける受付部を備え、
前記視点が、前記視点情報に基づき、決定される
請求項１ないし５のいずれか一項に記載のオブジェクト検索装置。
【請求項７】
前記検索部は、
前記視点から視認可能な大きさを有していても、別のオブジェクトの死角に入るオブジェクトは、視認不可能と認定することにより、前記視点から視認可能なオブジェクトを特定する
請求項１ないし６のいずれか一項に記載のオブジェクト検索装置。
【請求項８】
前記検索部により特定されたオブジェクトに関するデータを、外部の装置に送信する送信部
を備えた請求項１ないし７のいずれか一項に記載のオブジェクト検索装置。
【請求項９】
三次元空間に配置された複数のオブジェクトのうち、前記三次元空間に設定された視点から視認可能な大きさを有するオブジェクトを検索するオブジェクト検索方法であって、
前記三次元空間において、少なくとも、第１検索範囲と、前記第１検索範囲よりも前記視点から遠い第２検索範囲と、を設定するステップと、
前記第１検索範囲において視認可能な大きさを有するオブジェクトを検索するステップと、
前記第２検索範囲において、前記第１検索範囲において視認可能な大きさを有する最小のオブジェクトよりも大きいまたは等しいオブジェクトのみを検索対象として、視認可能な大きさを有するオブジェクトを検索するステップと、
を備えるオブジェクト検索方法。
【請求項１０】
三次元空間に配置された複数のオブジェクトのうち、前記三次元空間に設定された視点から視認可能な大きさを有するオブジェクトを検索するためのプログラムであって、
前記三次元空間において、少なくとも、第１検索範囲と、前記第１検索範囲よりも前記視点から遠い第２検索範囲と、を設定するステップと、
前記第１検索範囲において視認可能な大きさを有するオブジェクトを検索するステップと、
前記第２検索範囲において、前記第１検索範囲において視認可能な大きさを有する最小のオブジェクトよりも大きいまたは等しいオブジェクトのみを検索対象として、視認可能な大きさを有するオブジェクトを検索するステップと、
をコンピュータに実行させるためのプログラム。
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
設計物の立体形状を示す三次元モデルに対応する、複数の投影図から構成される二次元図面を表示可能な情報処理装置であって、
前記二次元図面を構成する複数の投影図のうち、少なくとも２つの、異なる方向から投影された投影図のそれぞれにおいて、寸法を算出するための基準となる要素の指定を受け付ける指定受付手段と、
前記指定受付手段で指定を受け付けた少なくとも２つの要素に基づいて算出された寸法を、前記指定受付手段で指定を受け付けた要素のうち、前記寸法を奥行き方向の寸法とする要素に対応付けて表示すべく制御する表示制御手段と、
を備えることを特徴とする情報処理装置。
【請求項２】
前記表示制御手段は、前記指定受付手段で指定を受け付けた複数の要素が平行な位置関係でない場合には、前記寸法の表示とは異なる表示をすべく制御することを特徴とする請求項１に記載の情報処理装置。
【請求項３】
前記指定受付手段は、前記二次元図面を構成する任意の投影図において、奥行き方向の寸法を算出する対象となる要素である当該投影図を構成する面の指定を受け付けることを特徴とする請求項１又は２に記載の情報処理装置。
【請求項４】
前記表示制御手段は、前記寸法の算出基準となる要素が指定された投影図とは別の投影図に、前記寸法の表示を行うべく制御することを特徴とする請求項１乃至３のいずれか１項に記載の情報処理装置。
【請求項５】
設計物の立体形状を示す三次元モデルに対応する、複数の投影図から構成される二次元図面を表示可能な情報処理装置の制御方法であって、
前記二次元図面を構成する複数の投影図のうち、少なくとも２つの、異なる方向から投影された投影図のそれぞれにおいて、寸法を算出するための基準となる要素の指定を受け付ける指定受付ステップと、
前記指定受付ステップで指定を受け付けた少なくとも２つの要素に基づいて算出された寸法を、前記指定受付ステップで指定を受け付けた要素のうち、前記寸法を奥行き方向の寸法とする要素に対応付けて表示すべく制御する表示制御ステップと、
を含む制御方法。
【請求項６】
設計物の立体形状を示す三次元モデルに対応する、複数の投影図から構成される二次元図面を表示可能な情報処理装置で実行可能なプログラムであって、
前記情報処理装置を、
前記二次元図面を構成する複数の投影図のうち、少なくとも２つの、異なる方向から投影された投影図のそれぞれにおいて、寸法を算出するための基準となる要素の指定を受け付ける指定受付手段と、  前記指定受付手段で指定を受け付けた少なくとも２つの要素に基づいて算出された寸法を、前記指定受付手段で指定を受け付けた要素のうち、前記寸法を奥行き方向の寸法とする要素に対応付けて表示すべく制御する表示制御手段として機能させるためのプログラム。
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
複数のクライアント端末と、前記クライアント端末各々に通信可能に接続されるサーバ装置とを備えてなる調剤情報管理システムであって、
前記クライアント端末各々から送信される医薬品の調剤に関するインシデントの情報を蓄積記憶するインシデント情報記憶手段と、
入力された統計表示条件に従って前記インシデント情報記憶手段に記憶された前記インシデントの統計情報を出力する統計情報出力手段と、
を備える調剤情報管理システム。
【請求項２】
前記統計表示条件は、前記インシデントの内容を含む、
請求項１に記載の調剤情報管理システム。
【請求項３】
前記統計表示条件は、前記インシデントのレベルを含む、
請求項１又は２に記載の調剤情報管理システム。
【請求項４】
前記統計表示条件は、前記インシデントの発生日時を含む、
請求項１〜３のいずれかに記載の調剤情報管理システム。
【請求項５】
前記統計表示条件は、前記インシデントが発生した調剤機器を含む、
請求項１〜４のいずれかに記載の調剤情報管理システム。
【請求項６】
前記統計表示条件は、前記インシデントが発生したときの薬剤師を含む、
請求項１〜５のいずれかに記載の調剤情報管理システム。
【請求項７】
前記統計表示条件は、前記インシデントが発生した店舗を含む、
請求項１〜６のいずれかに記載の調剤情報管理システム。
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
ネットワーク内の物理的接続を識別するための方法であって、
複数の光ファイバケーブルを提供するステップであって、各光ファイバケーブルは、第１のコネクタを、前記光ファイバケーブルの一端において含み、第１のコネクタは、第１のアダプタと結合することができ、かつ、第１のコネクタRFIDトランスポンダーを有する、ステップと、
前記第１のコネクタを前記第１のアダプタと結合するステップであって、それによって、前記第１のコネクタが前記第１のアダプタと結合されると、前記第１のコネクタRFIDトランスポンダーのトランスポンダー電気リード線と前記第１のアダプタのアダプタ電気リード線との間における物理的電気接続が確立される、ステップと、
前記トランスポンダー電気リード線と前記アダプタ電気リード線との間における前記物理的電気接続を検出するステップと、
前記物理的電気接続を検出した後、前記第１のコネクタRFIDトランスポンダーと前記第１のアダプタとの間において情報を交換するステップと
を含む方法。
【請求項２】
各光ファイバケーブルは、第２のコネクタを、前記光ファイバケーブルの他端において更に含み、第２のコネクタは、第２のアダプタと結合することができ、かつ、第２のコネクタRFIDトランスポンダーを有し、前記方法は、
前記第２のコネクタを前記第２のアダプタと結合するステップであって、それによって、前記第２のコネクタが前記第２のアダプタと結合されると、前記第２のコネクタRFIDトランスポンダーのトランスポンダー電気リード線と前記第２のアダプタのアダプタ電気リード線との間における物理的電気接続が確立される、ステップと、
前記第２のコネクタRFIDトランスポンダーの前記トランスポンダー電気リード線と前記第２のアダプタの前記アダプタ電気リード線との間における前記物理的電気接続を検出するステップと、
前記物理的電気接続を検出した後、前記第２のコネクタRFIDトランスポンダーと前記第２のアダプタとの間において情報を交換するステップと
を更に含む、請求項１に記載の方法。
【手続補正書】
【提出日】平成30年5月10日(2018.5.10)
【手続補正１】
【補正対象書類名】明細書
【補正対象項目名】００６９
【補正方法】変更
【補正の内容】
【００６９】
したがって、電圧電極３０７Ａ〜３０７Ｄの１つ以上に対して様々な別々の電圧を供給することで、触覚アクチュエータ２０３はピーク反曲７０９Ａ〜７０９Ｃと、様々な別々の場所におけるその他のピーク反曲とを生じることができる。触覚アクチュエータ２０３は、図５の触覚アクチュエータ５３０Ａ〜５３０Ｄのアレイよりも更に高い触覚分解能を有し、図６の触覚アクチュエータ６３０と同じ高さの反曲、及び／又はこれに匹敵する反曲を生じることができる。
【手続補正２】
【補正対象書類名】明細書
【補正対象項目名】００９４
【補正方法】変更
【補正の内容】
【００９４】
電子装置１２００はプロセッサ、メモリ、電源、及び／又はバッテリ、ネットワーク接続、センサ、入出力ポート、音響素子、触覚要素、電子装置１２００のタスクを実行及び／又は調整するためのデジタル及び／又はアナログ回路なども含むことができる。図を簡素化するために、図１２Ａにおいて電子装置１２００はこれらの素子の多くを省略して図示されているが、これらの素子の各々は部分的及び／又は全体的に筐体１２０２内に含むことができ、又、ディスプレイ１２０４と動作的又は機能的に関連付けられているか、結合していてよい。
【手続補正３】
【補正対象書類名】明細書
【補正対象項目名】０１４５
【補正方法】変更
【補正の内容】
【０１４５】
圧電部品１７００、第１の電極１７０４、第１の接点１７１４、第２の電極１７０６、第２の接点１７１６、及び異方性シート１７１２は、カプセル材１７１８の中にカプセル化され得る。本実施形態では、フレックス１７１０は、圧電部品１７００と略平行である。これらの実施形態では、カプセル材１７１８は、例えば、ポリマー系カプセル材、エポキシ系カプセル材、ポリシリコーン系カプセル材、樹脂系カプセル材、又は、他のカプセル材料若しくは材料の組み合わせなどであるが、これらに限定されない幾つもの適当な材料から形成され得る。一部の実施形態では、カプセル材１７１８のうちの１層だけが使用される。カプセル材１７１８は、光学的に透明又は光学的に不透明になり得る。
【手続補正４】
【補正対象書類名】図面
【補正対象項目名】図１７Ｄ
【補正方法】変更
【補正の内容】
【図１７Ｄ】
2018005903.tif 000001
【手続補正５】
【補正対象書類名】図面
【補正対象項目名】図１７Ｆ
【補正方法】変更
【補正の内容】
【図１７Ｆ】
2018005903.tif 000002
【手続補正６】
【補正対象書類名】図面
【補正対象項目名】図１７Ｇ
【補正方法】変更
【補正の内容】
【図１７Ｇ】
2018005903.tif 000003
【手続補正書】
【提出日】平成30年8月6日(2018.8.6)
【手続補正１】
【補正対象書類名】特許請求の範囲
【補正対象項目名】請求項１
【補正方法】変更
【補正の内容】
【請求項１】
コンピュータの表計算プログラムで動作する支援プログラムであって、
前記表計算プログラムに、
前記表計算プログラムのワークシートのセルに対して入力された入力情報と関連する一又は複数の関連データを、支援プログラムが格納されたアプリケーション領域に格納する手順と、
前記入力情報と前記関連データを紐づける紐付情報を、前記表計算プログラムのファイル領域に格納する手順と、
前記関連データを出力手段に表示するダイアログボックスを表示する手順とを実行させる
ことを特徴とする支援プログラム。
【手続補正２】
【補正対象書類名】特許請求の範囲
【補正対象項目名】請求項４
【補正方法】変更
【補正の内容】
【請求項４】
請求項３に記載された支援プログラムであって、
暗号化された前記関連データを復号化する手順を実行させる
ことを特徴とする支援プログラム。
【手続補正３】
【補正対象書類名】明細書
【補正対象項目名】００５４
【補正方法】変更
【補正の内容】
【００５４】
また、支援プログラム1は、画像データ領域に画像データが格納されているため（図4のST4)、データシート領域に格納されている紐付情報を読み込む(図4のST5)。支援プログラム1は、紐付情報を復号化(図4のST6)して、マルチセル10の一つ(F7番地)に対応する画像データ領域に格納された画像データを読み込む(図4のST7)。テキストボックス部22には、図7(b)に示すように、入力シート領域の指針(入力)に検針結果(6224)が格納されているためこれが表示され、リンク画像表示部27には、画像データ領域に格納されている画像データが表示される(図4のST8)。
【手続補正４】
【補正対象書類名】明細書
【補正対象項目名】００６２
【補正方法】変更
【補正の内容】
【００６２】
このとき、支援プログラム1は、入力シート領域に検針結果が格納されているため(図4のST2)、入力シート領域からマルチセル10の一つ(F7番地)に格納されている検針結果を読み込む(図4のST3)。また、支援プログラム1は、画像データ領域に画像データが格納されているため(図4のST4)、データシート領域に格納されている紐付情報を読み込む(図4のST5)。支援プログラム1は、紐付情報を復号化(図4のST6)して、マルチセル10の一つ(F7番地)に対応する画像データ領域に格納された画像データを読み込む(図4のST7)。
【手続補正５】
【補正対象書類名】明細書
【補正対象項目名】０１００
【補正方法】変更
【補正の内容】
【０１００】
支援プログラム1は、紐付情報を復号化(図14のST111)して、マルチセル10の一つに対応するクラウドストレージ200上の画像データ領域に格納された画像データを読み込む(図14のST112)。テキストボックス部22には、入力シート領域の指針(入力)に検針結果が格納されているためこれが表示され、リンク画像表示部27には、クラウドストレージ200上の画像データ領域に格納されている画像データが表示される(図14のST113)。なお図14中のST120乃至124は、図14中のST109乃至ST113とほぼ同様であるため、詳細な説明は省略する。
【手続補正６】
【補正対象書類名】図面
【補正対象項目名】図４
【補正方法】変更
【補正の内容】
【図４】
2018005679.tif 000001
【手続補正７】
【補正対象書類名】図面
【補正対象項目名】図１４
【補正方法】変更
【補正の内容】
【図１４】
2018005679.tif 000002
【誤訳訂正書】
【提出日】平成30年6月14日(2018.6.14)
【誤訳訂正１】
【訂正対象書類名】特許請求の範囲
【訂正対象項目名】請求項７
【訂正方法】変更
【訂正の内容】
【請求項７】
前記フォトレジストが以下の
【化２】
2014235432.tif 000001
のうちの１つ以上を含む、請求項１に記載のフォトレジスト組成物。
【誤訳訂正２】
【訂正対象書類名】明細書
【訂正対象項目名】００３５
【訂正方法】変更
【訂正の内容】
【００３５】
本明細書において開示されるようなフォトレジスト組成物における使用のために特に好
ましいカルバメート化合物は、以下の
【化５】
2014235432.tif 000002
を含む。
【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
映写機からの映像を反射させ、前記映像を天板に載置された被検体に提供する反射板と、
前記反射板の着脱、または前記天板に対する前記反射板の配置状態に応じて、検査室または架台に設けられた照明の制御と、前記天板に載置された前記被検体を撮影するカメラの制御と、のうち少なくとも一つを行う制御部と、
を備えた医用画像診断装置。
【請求項２】
前記反射板を回転可能に支持する支持アームと、
前記支持アームに対する前記反射板の着脱と、スクリーンに対する前記支持アームの位置と、前記反射板の回転角度とのうち少なくとも１つに基づいて、前記反射板の配置を検出する検出器と、
をさらに具備する、請求項１に記載の医用画像診断装置。
【請求項３】
前記映写機は前記スクリーンに向けて映像を出力し、
前記反射板は、前記スクリーンに出力された映像を反射する、
請求項２に記載の医用画像診断装置。
【請求項４】
前記反射板と前記支持アームとのうち少なくとも一つは、前記天板上の前記被検体を撮影する少なくとも一つの前記カメラを搭載し
前記カメラは、
対物レンズと、
前記対物レンズからの光を導く光導波路と、
ボアの外部に設けられ前記光導波路からの光を受光する受光素子と、を有し、
前記制御部は、
前記スクリーンに対する前記反射板の角度と前記スクリーンに対する前記支持アームの相対的な位置とのうち少なくとも一つに応じて、前記カメラによる撮影方向を切り替える、
請求項２または３に記載の医用画像診断装置。
【請求項５】
前記カメラにより撮影された映像を表示する映像表示モニタをさらに有し、
前記制御部は、前記映像表示モニタにおける映像においてユーザにより指定された位置を、磁場中心位置に移動させる位置として設定する、
請求項２乃至４のうちいずれか一項に記載の医用画像診断装置。
【請求項６】
前記反射板と前記支持アームとのうち少なくとも一つは、外装面にスピーカを有し、
前記制御部は、前記スクリーンに対する前記反射板の角度と前記スクリーンに対する前記支持アームの相対的な位置とのうち少なくとも一つに応じて、前記スピーカから出力される音の音量と、波形と、周波数と、再生速度とのうち少なくとも１つの制御を行う、
請求項２乃至５のうちいずれか一項に記載の医用画像診断装置。
【請求項７】
前記反射板と前記支持アームとのうち少なくとも一つは、外装面に発光器を有し、
前記制御部は、前記スクリーンに対する前記反射板の角度と前記スクリーンに対する前記支持アームの相対的な位置とのうち少なくとも一つに応じて、前記発光器により発生される光のＯＮ状態およびＯＦＦ状態、または前記光の強弱を切り替える、
請求項２乃至６のうちいずれか一項に記載の医用画像診断装置。
【請求項８】
前記支持アームを有する映像投影装置は、前記スクリーンに対する前記支持アームの配置に応答して前記反射板を回転させる、
請求項２乃至７のうちいずれか一項に記載の医用画像診断装置。
【請求項９】
前記照明は、前記架台に形成されたボアの内部に設けられたボア内照明器と、前記架台の外装面に設けられた外装照明器と、前記検査室に設けられた検査室照明器とのうち少なくとも１つであり、
前記制御部は、前記照明のＯＮ状態とＯＦＦ状態との間の制御、または前記照明の調光制御を行う、
請求項１乃至８のうちいずれか一項に記載の医用画像診断装置。
【請求項１０】
所定の透過率および反射率を有するビームスプリッタと、前記ビームスプリッタに光を照射する光源とを含み、映写機からの映像を反射させる反射板と、
前記映写機に対する前記反射板の配置に応じて、前記光源を制御する制御部と、
を具備する医用画像診断装置。
【請求項１１】
前記反射板は、前記ビームスプリッタの一方の面に配置された導光板をさらに備え、
前記光源は、前記導光板の端部に配置される、
請求項１０に記載の医用画像診断装置。
【請求項１２】
前記反射板は、前記導光板の背面側に、所定の画像が設けられたフィルムを有する、
請求項１１に記載の医用画像診断装置。
【請求項１３】
前記ビームスプリッタの一方の面に前記光源を含むモニタをさらに備えた、
請求項１０乃至１２のうちいずれか一項に記載の医用画像診断装置。
【請求項１４】
映写機からの映像が投影されるスクリーンと、前記スクリーンに投影された前記映像を反射させる反射板と、前記反射板を回転可能に支持する支持アームとを有する映像投影装置を具備し、
前記反射板は、前記スクリーンに対する前記支持アームの配置状態または前記配置状態
の変更動作に応答して回転する、
医用画像診断装置。
【手続補正２】
【補正対象書類名】明細書
【補正対象項目名】発明の名称
【補正方法】変更
【補正の内容】
【発明の名称】医用画像診断装置
【手続補正３】
【補正対象書類名】明細書
【補正対象項目名】０００１
【補正方法】変更
【補正の内容】
【０００１】
本発明の実施形態は、医用画像診断装置に関する。
【手続補正４】
【補正対象書類名】明細書
【補正対象項目名】０００４
【補正方法】変更
【補正の内容】
【０００４】
実施形態の目的は、架台のボア内の居住性を向上可能な医用画像診断装置を提供することにある。
【手続補正５】
【補正対象書類名】明細書
【補正対象項目名】０００５
【補正方法】変更
【補正の内容】
【０００５】
本実施形態に係る医用画像診断装置は、映写機からの映像を反射させ、前記映像を天板に載置された被検体に提供する反射板と、前記反射板の着脱、または前記天板に対する前記反射板の配置状態に応じて、検査室または架台に設けられた照明の制御と、前記天板に載置された前記被検体を撮影するカメラの制御と、のうち少なくとも一つを行う制御部と、を備える。
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
始動条件の成立に基づき抽選を行う遊技機であって、
前記抽選の結果に基づく演出を実行可能な表示装置と、
前記抽選の結果に基づく演出を実行可能な可動体と、を備え、
前記可動体は、
初期位置から遊技者が当該可動体の一部を視認不能な第１位置に移動し、該第１位置から該第１位置では視認不能な部分の少なくとも一部が視認可能となる第２位置まで移動する第１動作と、
初期位置から遊技者が当該可動体の一部を視認不能な第１位置に移動し、該第１位置から前記第２位置まで移動せずに前記初期位置に戻る第２動作と、を実行可能であり、
前記表示装置による演出開始後に前記第２動作が実行されるタイミングを複数有する
ことを特徴とする遊技機。
【手続補正２】
【補正対象書類名】明細書
【補正対象項目名】０００７
【補正方法】変更
【補正の内容】
【０００７】
上述の目的を達成するために、本発明は、始動条件の成立に基づき抽選を行う遊技機であって、前記抽選の結果に基づく演出を実行可能な表示装置と、前記抽選の結果に基づく演出を実行可能な可動体と、を備え、前記可動体は、初期位置から遊技者が当該可動体の一部を視認不能な第１位置に移動し、該第１位置から該第１位置では視認不能な部分の少なくとも一部が視認可能となる第２位置まで移動する第１動作と、初期位置から遊技者が当該可動体の一部を視認不能な第１位置に移動し、該第１位置から前記第２位置まで移動せずに前記初期位置に戻る第２動作と、を実行可能であり、前記表示装置による演出開始後に前記第２動作が実行されるタイミングを複数有することを特徴とする。
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
ケース部材と、そのケース部材に変位可能に配設される配設部材と、その配設部材に駆動力を付与して前記配設部材をケース部材に対して変位させる駆動手段とを備えた遊技機において、
前記配設部材に回転可能に配設される第１回転部材と、その第１回転部材に駆動力を付与して前記第１回転部材を前記配設部材に対して回転させる第２駆動手段と、前記配設部材に回転可能に配設される第２回転部材と、その第２回転部材に一端が軸支されると共に他端が前記ケース部材に変位可能に連結される連結部材と、を備え、
前記第２回転部材は、前記第１回転部材と前記配設部材との間に挟まれて回転可能に保持されることを特徴とする遊技機。
【請求項２】
基板ボックスを備えることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、ケース部材と、そのケース部材に変位可能に配設される配設部材と、その配設部材に駆動力を付与して前記配設部材をケース部材に対して変位させる駆動手段とを備えたものであり、前記配設部材に回転可能に配設される第１回転部材と、その第１回転部材に駆動力を付与して前記第１回転部材を前記配設部材に対して回転させる第２駆動手段と、前記配設部材に回転可能に配設される第２回転部材と、その第２回転部材に一端が軸支されると共に他端が前記ケース部材に変位可能に連結される連結部材と、を備え、前記第２回転部材は、前記第１回転部材と前記配設部材との間に挟まれて回転可能に保持される。
【手続補正３】
【補正対象書類名】明細書
【補正対象項目名】０００７
【補正方法】変更
【補正の内容】
【０００７】
請求項２記載の遊技機は、請求項１記載の遊技機において、基板ボックスを備える。
【手続補正４】
【補正対象書類名】明細書
【補正対象項目名】０３６４
【補正方法】変更
【補正の内容】
【０３６４】
１０                        パチンコ機（遊技機）
８１                        第３図柄表示装置（液晶表示装置）
１００，１０１，１０２，１０３，１０４ 基板ボックス
４００                      ケース部材
４１０                      第１ベース体（ケース部材の一部、第１ケース部）
４１３                      規制リブ
４１５                      座面壁（位置決め壁）
４３０                      第２ベース体（第２ケース部）
４３１                      ガイド溝
４３３                      縁部
４３４                      突出板部
４５０                      背面板部材
５００                      第１アーム（アーム部材、配設部材）
５１１ａ                    案内溝
５２０                      アーム軸
５３１                      駆動モータ（駆動手段、第２駆動手段）
５３３                      ホイールギヤ（回転体）
５３３ａ                    平坦面（挿通孔の平坦面）
５３３ｂ                    挿通孔
５３３ｅ                    突起部
５３３ｅ１                  平坦面（突起部の平坦面）
５３４，２５３４，３５３４  止め輪
５３４ａ                    開口端
５３４ｂ                    円環部
５３４ｃ                    張出部
２５３４ｃ，３５３４ｃ      張出部
５４０                      第１回転装飾体（装飾部材、第１回転部材）
５４２                      軸体
５４２ａ                    平坦面（Ｄ字断面部の平坦面）
５４２ｂ                    Ｄ字断面部
５４２ｃ                    円周溝
２５４２ｄ，３５４２ｄ      被係合部
５５０                      第２回転装飾体（第２回転部材）
６００                      第２アーム（連結部材）
７００                      ギヤ部材
７１０                      ギヤ本体
７２０                      被検出部
７３０                      突設ピン
７９０                      ギヤ軸
９００                      駆動モータ（駆動手段）
Ｌ１                        突設ピン及びアーム軸を結ぶ直線
Ｌ２                        突設ピン及びギヤ軸を結ぶ直線
θ                          直線Ｌ１及び直線Ｌ２がなす角度
Ｓ                          回転位置検出センサ（回転位置検出手段）
【手続補正書】
【提出日】平成30年8月3日(2018.8.3)
【手続補正１】
【補正対象書類名】明細書
【補正対象項目名】０００５
【補正方法】変更
【補正の内容】
【０００５】
このような問題を解決するためになされた本発明の遊技機は、所定の条件を満たした場合に遊技球を払い出す払出手段（払出制御基板３８０、払出モータ３８１）と、前記払出手段により払い出された遊技球を貯留する貯留手段（下皿１４１）と、前記貯留手段に貯留される遊技球が所定量以上であることを検出する検出手段（皿満タン検出スイッチ３１３）と、有価価値情報が記憶された有価記憶媒体を挿入及び排出が可能な挿入／排出口と、前記検出手段により前記貯留手段に貯留される遊技球が所定量以上であると検出されたときに、又は前記挿入／排出口から前記有価記憶媒体を取り出す可能性のある所定のタイミングであるときに、遊技者に報知を行う報知手段（サブＣＰＵ３４０ａ、画像制御基板３５０、ランプ制御基板３６０、メイン表示装置１３１、音声出力装置１３２、ガイドライト１４１ｂ）と、を備え、前記報知手段は、遊技者に対して、前記貯留手段に貯留される遊技球が所定量以上であることを報知する第１の報知と、前記有価記憶媒体を前記挿入／排出口から取り忘れるのを注意喚起する第２の報知と、を実行可能とされ、前記第２の報知は、前記挿入／排出口から前記有価記憶媒体が排出される画像を表示して報知する遊技機である。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
所定の条件を満たした場合に遊技球を払い出す払出手段と、
前記払出手段により払い出された前記遊技球を貯留する貯留手段と、
前記貯留手段に貯留される遊技球が所定量以上であることを検出する検出手段と、
有価価値情報が記憶された有価記憶媒体を挿入及び排出が可能な挿入／排出口と、
前記検出手段により前記貯留手段に貯留される遊技球が所定量以上であると検出されたときに、又は前記挿入／排出口から前記有価記憶媒体を取り出す可能性のある所定のタイミングであるときに、遊技者に報知を行う報知手段と、
を備え、
前記報知手段は、前記貯留手段に貯留される遊技球が所定量以上であることを報知する第１の報知と、前記有価記憶媒体を前記挿入／排出口から取り忘れるのを注意喚起する第２の報知と、を実行可能とされ、前記第２の報知は、前記挿入／排出口から前記有価記憶媒体が排出される画像を表示して報知することを特徴とする遊技機。
【手続補正書】
【提出日】平成30年8月3日(2018.8.3)
【手続補正１】
【補正対象書類名】明細書
【補正対象項目名】０００６
【補正方法】変更
【補正の内容】
【０００６】
本発明の遊技機は、遊技者により遊技が行われている遊技実行状態と、遊技者による遊技が行われていない待機状態と、に遷移可能である遊技機であり、音声を出力する音声出力手段（音声出力装置１３２）と、遊技者の入力操作に基づいて、前記音声出力手段により出力される音声の音量を切り替える音量切替手段（サブＣＰＵ３４０ａ、画像制御基板３５０）と、前記遊技実行状態において、前記音声出力手段から出力される音声の音量の切り替えに関する演出を実行する制御手段（サブＣＰＵ３４０ａ、画像制御基板３５０）と、を備え、前記音声切替手段は、遊技者が任意に音声を設定する第１設定手段を構成するとともに、前記音声切替手段により設定された音量をリセットして音量を設定する第２設定手段を具備した遊技機である。
【手続補正２】
【補正対象書類名】特許請求の範囲
【補正対象項目名】全文
【補正方法】変更
【補正の内容】
【特許請求の範囲】
【請求項１】
遊技者により遊技が行われている遊技実行状態と、遊技者による遊技が行われていない待機状態と、に遷移可能である遊技機において、
音声を出力する音声出力手段と、
遊技者の入力操作に基づいて、前記音声出力手段により出力される音声の音量を切り替える音量切替手段と、
前記遊技実行状態において、前記音声出力手段から出力される音声の音量の切り替えに関する演出を実行する制御手段と、を備え、前記音声切替手段は、遊技者が任意に音声を設定する第１設定手段を構成するとともに、前記音声切替手段により設定された音量をリセットして音量を設定する第２設定手段を具備したことを特徴とする遊技機。
【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
トランプカードのフェイスの左サイド及び右サイドに、スーツのマークと該トランプカードのランクを表す数字又は記号とを組み合わせたインデックスが表示されたトランプカードであって、
前記マークの異なるスーツは、
電流の計量単位の単位記号Ａを表すアンペア、
電圧の計量単位の単位記号Ｖを表すボルト、
電力の計量単位の単位記号Ｗを表すワット、
及び、
電気抵抗の計量単位の単位記号Ωを表すオーム
の４種類であり、
前記スーツが同一である複数枚のトランプカードの前記ランクは、それぞれ、異なる接頭語に対応している、
ことを特徴とするトランプカード。
【請求項２】
トランプカードのフェイスの左サイド及び右サイドに、スーツのマークと該トランプカードのランクを表す数字又は記号とを組み合わせたインデックスが表示されたトランプカードであって、
前記トランプカードのフェイスに、前記ランクに応じて設定された接頭語を付した電気に関する計量単位の情報が記載されている、
ことを特徴とするトランプカード。
【手続補正２】
【補正対象書類名】明細書
【補正対象項目名】０００９
【補正方法】変更
【補正の内容】
【０００９】
本発明は、カードのフェイスの左サイド及び右サイドに、スーツのマークと該カードのランクを表す数字又は記号とを組み合わせたインデックスが表示されたトランプカードであって、マークの異なるスーツは、電流の計量単位の単位記号Ａを表すアンペア、電圧の計量単位の単位記号Ｖを表すボルト、電力の計量単位の単位記号Ｗを表すワット、及び、電気抵抗の計量単位の単位記号Ωを表すオームの４種類であり、スーツが同一である複数枚のトランプカードのランクは、それぞれ、異なる接頭語に対応している、ことを特徴とする。
このトランプカードは、スーツが４種類であり、通常のトランプで馴染んでいるゲームを行うこともできる。
また、本発明のトランプカードでは、フェイスに、ランクに応じて設定された接頭語を付した電気に関する計量単位の情報が記載されている、ことを特徴とする。
【手続補正３】
【補正対象書類名】明細書
【補正対象項目名】００１０
【補正方法】変更
【補正の内容】
【００１０】
また、本発明のトランプカードでは、スーツを表すマークが、電流の計量単位の単位記号Ａを認識させる第１の図形、電圧の計量単位の単位記号Ｖを認識させる第２の図形、電力の計量単位の単位記号Ｗを認識させる第３の図形、または、電気抵抗の計量単位の単位記号Ωを認識させる第４の図形、のいずれかである。
また、本発明のトランプカードでは、第１の図形を、スペードのマークと文字Ａとを組み合わせた図形とし、第２の図形を、ダイヤのマークと文字Ｖとを組み合わせた図形とし、第３の図形を、ハートのマークと文字Ｗとを組み合わせた図形とし、第４の図形を、クラブのマークと文字Ωとを組み合わせた図形とすることが好ましい。
スペードとＡ、ダイヤとＶ、ハートとＷ、及び、クラブとΩは、それぞれ形状に類似性があるため、組み合わせても違和感がない。
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
調製データに基づいて薬品容器から注射器で薬品を吸引すると共に前記注射器から輸液容器に前記薬品を注入する混注処理を実行する混注制御部を備え、
前記混注制御部が、前記輸液容器内の液体量が減少する場合に、前記輸液容器に輸液を補充する補充工程を実行可能である、
混注装置。
【請求項２】
調製データに基づいて薬品容器から注射器で薬品を吸引すると共に前記注射器から輸液容器に前記薬品を注入する混注処理を実行する混注制御部を備え、
前記薬品が粉薬であって、
前記混注制御部は、前記混注処理において前記輸液容器から抜き取られる輸液の抜取り量が、前記輸液容器に注入される液体の注入量より多い場合に、前記補充工程を実行する、
混注装置。
【請求項３】
調製データに基づいて薬品容器から注射器で薬品を吸引すると共に前記注射器から輸液容器に前記薬品を注入する混注処理を実行する混注制御部を備え、
前記薬品が粉薬であって、
前記混注制御部は、前記混注処理において前記輸液容器から抜き取られる輸液の抜取り量と前記輸液容器に注入される液体の注入量との差分が予め設定された閾値以上である場合に、前記補充工程を実行する、
混注装置。
【請求項４】
前記混注制御部は、前記補充工程において、前記混注処理が実行される混注処理室に予め載置された補充用容器に収容されている輸液を前記輸液容器に補充する、
請求項１〜３のいずれかに記載の混注装置。
【請求項５】
前記混注処理において前記補充工程が実行される場合に、前記混注処理で使用される前記薬品容器が少なくとも載置されて前記混注装置に供給されるトレイに補充容器を載置する旨を報知する報知処理部を備え、
請求項１〜３のいずれかに記載の混注装置。
【請求項６】
調製データに基づいて薬品容器から注射器で薬品を吸引すると共に前記注射器から輸液容器に前記薬品を注入する混注処理と、
前記輸液容器内の液体量が減少する場合に、前記輸液容器に輸液を補充する補充工程と、
をコンピュータに実行させるための混注制御プログラム。
【手続補正書】
【提出日】平成30年1月31日(2018.1.31)
【手続補正１】
【補正対象書類名】特許請求の範囲
【補正対象項目名】全文
【補正方法】変更
【補正の内容】
【特許請求の範囲】
【請求項１】
被検体の超音波撮影を行うための超音波プローブとともに用いられる情報処理装置であって、
前記超音波プローブにより撮影される超音波画像とは異なる画像を用いて、前記被検体において前記超音波撮影の対象となる対象部位を設定する設定手段と、
前記超音波プローブの位置を示す位置情報を取得する位置取得手段と、
前記位置取得手段により取得される前記位置情報の、前記対象部位に関する前記超音波プローブの位置の目標値に対する差分に基づいて、前記対象部位を撮影するためにユーザが行うべき前記超音波プローブの移動に関する情報を取得する情報取得手段と、
前記情報取得手段により取得された前記情報を提示する記号であって、前記超音波プローブを移動する方向を示唆する記号を、前記位置取得手段により取得された前記位置情報が示す前記超音波プローブの位置において撮影された超音波画像中に包含されるように表示させる表示制御手段と、
を有することを特徴とする情報処理装置。
【請求項２】
前記情報取得手段は、前記超音波プローブにより取得された連続する複数のフレームの超音波画像に基づいて、前記ユーザが行うべき前記超音波プローブの移動に関する情報を取得することを特徴とする請求項１に記載の情報処理装置。
【請求項３】
前記設定手段は、予め記憶された対象部位についてのデータを読みだすことにより、対象部位を設定することを特徴とする請求項１又は請求項２に記載の情報処理装置。
【請求項４】
前記設定手段は、前記被検体において前記超音波撮影の対象となる特定の解剖学的構造を前記対象部位として設定することを特徴とする請求項１乃至請求項３のいずれか１項に記載の情報処理装置。
【請求項５】
前記位置取得手段は、前記超音波プローブを基準とした空間座標と、前記超音波プローブにより撮影される超音波画像の画像座標との関係に基づいて前記位置情報を取得することを特徴とする請求項１乃至請求項４のいずれか１項に記載の情報処理装置。
【請求項６】
前記表示制御手段は、前記超音波プローブが取得した受波データにより形成されたエコーデータに基づく色で前記超音波画像を表示させ、前記被検体を超音波が透過した領域の輝度とは異なる色で前記記号を表示させることを特徴とする請求項１乃至請求項５のいずれか１項に記載の情報処理装置。
【請求項７】
被検体の超音波撮影を行うための超音波プローブとともに用いられる情報処理装置であって、
前記超音波プローブにより撮影される超音波画像とは異なる画像を用いて、前記被検体において前記超音波撮影の対象となる対象部位を設定する設定手段と、
前記超音波プローブの位置を示す位置情報を取得する位置取得手段と、
前記位置取得手段により取得される前記位置情報の、前記対象部位に関する前記超音波プローブの位置の目標値に対する差分に基づいて、ユーザが行うべき前記超音波プローブの移動に関する情報を取得する情報取得手段と、
前記情報取得手段により取得された前記情報を提示する記号であって、前記超音波プローブの位置を前記目標値に近づくように移動させることを示唆する記号を、前記位置取得手段により取得された前記位置情報が示す前記超音波プローブの位置において撮影された超音波画像中に包含されるように表示させる表示制御手段と、
を有することを特徴とする情報処理装置。
【請求項８】
被検体の超音波撮影を行うための超音波プローブとともに行われる情報処理方法であって、
前記被検体において前記超音波撮影の対象となる特定の解剖学的構造を対象部位として設定する設定ステップと、
前記超音波プローブの前記被検体に対する位置を示す位置情報を取得する位置取得ステップと、
前記位置取得ステップにおいて取得される前記位置情報の、前記対象部位に関する前記超音波プローブの位置の目標値に対する差分に基づいて、ユーザが行うべき前記超音波プローブの移動に関する情報を取得する情報取得ステップと、
前記情報取得ステップにおいて取得された前記情報を提示する記号であって、前記超音波プローブを移動する方向を示唆する記号を、前記位置取得ステップにおいて取得された位置情報が示す前記超音波プローブの位置において撮影された超音波画像中に包含されるように表示させる表示制御ステップと、
を有することを特徴とする情報処理方法。
【請求項９】
被検体の超音波撮影を行うための超音波プローブとともに用いられる情報処理システムであって、
前記被検体において前記超音波撮影の対象となる特定の解剖学的構造を対象部位として設定する設定手段と、
前記超音波プローブの前記被検体に対する位置を示す位置情報を取得する位置取得手段と、
前記位置取得手段により取得される前記位置情報の、前記対象部位に関する前記超音波プローブの位置の目標値に対する差分に基づいて、ユーザが行うべき前記超音波プローブの移動に関する情報を取得する情報取得手段と、
前記情報取得手段により取得された前記情報を提示する記号であって、前記超音波プローブを移動する方向を示唆する記号を、前記位置取得手段により取得された位置情報が示す前記超音波プローブの位置において撮影された超音波画像中に包含されるように表示させる表示制御手段と、
を有することを特徴とする情報処理システム。
【請求項１０】
請求項８に記載の情報処理方法をコンピュータに実行させるためのプログラム。
【手続補正書】
【提出日】平成30年11月19日(2018.11.19)
【手続補正１】
【補正対象書類名】明細書
【補正対象項目名】０００７
【補正方法】変更
【補正の内容】
【０００７】
この場合、前記制御部の前記流量調整弁および前記開閉弁は、それぞれ３個以下であってもよい。また、前記油圧源からの作動油を前記シリンダのキャップ側室に供給する前記流路には、前記制御部の上流側に、作動油に混入している塵埃を捕捉するフィルタを配設してもよい。また、前記油圧源と前記制御部との間には、油圧源からの作動油の圧力を検知する第２の圧力センサを設けてもよい。
【手続補正２】
【補正対象書類名】明細書
【補正対象項目名】００２９
【補正方法】変更
【補正の内容】
【００２９】
１：シリンダ
２：ロッド
３：加圧ピン
４：キャップ側室
６、７：金型
８：キャビティ
１０：制御部
１１Ａ、１１Ｂ、１１Ｃ：流量調整弁
１２Ａ、１２Ｂ、１２Ｃ：シャットオフ弁（開閉弁）
１３：圧力センサ
Ｐ：油圧源
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
主体合成繊維とバインダー合成繊維とを少なくとも含有してなる不織布からなる半透膜支持体において、半透膜支持体の少なくとも一方の表面にバインダー合成繊維の溶融髭が存在することを特徴とする半透膜支持体。
【請求項２】
半透膜支持体表面の電子顕微鏡写真で観察される溶融髭が、１．０ｍｍ２あたり２本以上である請求項１記載の半透膜支持体。
【請求項３】
バインダー合成繊維の溶融髭の形状が、分岐している形状である請求項１又は２記載の半透膜支持体。
【請求項４】
バインダー合成繊維の溶融髭の形状が、溶融髭の先端径が主体合成繊維の直径よりも細い形状である請求項１〜３のいずれかに記載の半透膜支持体。
【請求項５】
バインダー合成繊維の溶融髭の形状が、主体合成繊維同士間の空隙、主体合成繊維とバインダー合成繊維間の空隙及びバインダー合成繊維同士間の空隙から選ばれる少なくとも一種の空隙を溶融髭が横断している形状である請求項１〜４のいずれかに記載の半透膜支持体。
【請求項６】
半透膜支持体の半透膜が塗布される面である塗布面にバインダー合成繊維の溶融髭が存在し、該塗布面の溶融髭が寝た状態にある請求項１〜５のいずれかに記載の半透膜支持体。
【請求項７】
バインダー合成繊維の溶融髭が、半透膜支持体の両表面に存在する請求項１〜６のいずれかに記載の半透膜支持体。
【請求項８】
請求項１〜７のいずれかに記載の半透膜支持体を製造する方法であって、主体合成繊維とバインダー合成繊維を少なくとも含有するスラリーを湿式抄造法により抄き上げてシートを作製する工程、及び前工程で得られたシートを熱ロールにより熱圧加工する工程を含み、前記熱圧加工を、熱圧加工直後の半透膜支持体の表面温度を確認しながら行うことを特徴とする半透膜支持体の製造方法。
【請求項９】
熱圧加工後のニップ直後から１０ｃｍ未満の位置で測定した半透膜支持体の表面温度がバインダー合成繊維の融点に対して−６５℃〜−２０℃の範囲内となるように、熱圧加工における熱ロールの表面温度を設定する請求項８に記載の半透膜支持体の製造方法。
【手続補正２】
【補正対象書類名】明細書
【補正対象項目名】００１１
【補正方法】変更
【補正の内容】
【００１１】
（１）主体合成繊維とバインダー合成繊維とを少なくとも含有してなる不織布からなる半透膜支持体において、半透膜支持体の少なくとも一方の表面にバインダー合成繊維の溶融髭が存在することを特徴とする半透膜支持体。
（２）半透膜支持体表面の電子顕微鏡写真で観察される溶融髭が、１．０ｍｍ２あたり２本以上である上記（１）記載の半透膜支持体。
（３）バインダー合成繊維の溶融髭の形状が、分岐している形状である上記（１）又は（２）記載の半透膜支持体。
（４）バインダー合成繊維の溶融髭の形状が、溶融髭の先端径が主体合成繊維の直径よりも細い形状である上記（１）〜（３）のいずれかに記載の半透膜支持体。
（５）バインダー合成繊維の溶融髭の形状が、主体合成繊維同士間の空隙、主体合成繊維とバインダー合成繊維間の空隙及びバインダー合成繊維同士間の空隙から選ばれる少なくとも一種の空隙を溶融髭が横断している形状である上記（１）〜（４）のいずれかに記載の半透膜支持体。
（６）半透膜支持体の半透膜が塗布される面である塗布面にバインダー合成繊維の溶融髭が存在し、該塗布面の溶融髭が寝た状態にある上記（１）〜（５）のいずれかに記載の半透膜支持体。
（７）バインダー合成繊維の溶融髭が、半透膜支持体の両表面に存在する上記（１）〜（６）のいずれかに記載の半透膜支持体。
（８）（１）〜（７）のいずれかに記載の半透膜支持体を製造する方法であって、主体合成繊維とバインダー合成繊維を少なくとも含有するスラリーを湿式抄造法により抄き上げてシートを作製する工程、及び前工程で得られたシートを熱ロールにより熱圧加工する工程を含み、前記熱圧加工を、熱圧加工直後の半透膜支持体の表面温度を確認しながら行うことを特徴とする半透膜支持体の製造方法。
（９）熱圧加工後のニップ直後から１０ｃｍ未満の位置で測定した半透膜支持体の表面温度がバインダー合成繊維の融点に対して−６５℃〜−２０℃の範囲内となるように、熱圧加工における熱ロールの表面温度を設定する（８）に記載の半透膜支持体の製造方法。